(57)【要約】【課題】上下一体構造で成形された前面パネルが、ベースに取り付けられた表示器に本体の前面側から固定されるように構成すると共に、この固定用のねじを、表示器に対向する前面飾り板で覆うようにした空気調和機を提供する。【解決手段】本体を構成するベース１の前部に、吸込口９を備えた上部パネル１１ａ　と、吹出口１０および表示穴を備えた下部パネル１１ｂ　とを一体成形してなる前面パネル１１を装着すると共に、同前面パネル１１に設けられた挿通孔を通したねじを螺着するねじ孔を備え、前記表示穴を臨ませた表示器４を固定し、同表示器４による運転情報を前記表示穴を臨ませて透過する前面飾り板６に設けられた係止爪を、前記下部パネル１１ｂ　に設けられた係止穴に係脱可能に係止し、前記前面飾り板６により、前記前面パネル１１の挿通孔を通し前記表示器４のねじ孔に螺着したねじを覆うようにした。【選択図】　図１
2004138311.tif 000002
【特許請求の範囲】
【請求項１】
前部を開放したベースと、同ベースに取り付けられた熱交換器、送風ファンおよび表示器と、同表示器を臨ませた表示穴を備えて前記ベースの前部に装着され、上面に吸込グリルを有する吸込口を備え、下面に吹出口を備えた前面パネルと、前記表示器に設けられたねじ孔および係止穴と、前記ねじ孔に対向して前記前面パネルに設けられた挿通孔と、前記係止穴に係脱可能に係止する係止爪を備え、前記表示器により発光表示された運転情報を透過する前面飾り板とからなり、
前記前面パネルを、前記挿通孔を通したねじを前記ねじ孔に螺着して前記ベース側に固定すると共に、前記前面飾り板により、前記係止穴に前記係止爪を係止して前記挿通孔および前記ねじを覆うようにしてなることを特徴とする空気調和機。
【請求項２】
前記係止穴が、左右を長径に形成した左右一対の矩形状の穴からなる一方、前記係止爪が、前記一対の矩形状の穴の一側から夫々に挿入し、他側に向けてスライドさせることにより他側部およびその裏面に係止するようＬ字状に形成されてなることを特徴とする請求項１に記載の空気調和機。
【発明の詳細な説明】
【０００１】
【発明の属する技術分野】
本発明は、所謂シーリングウォール型の空気調和機に係わり、より詳細には、上下一体構造で成形された前面パネルがベースに取り付けられた表示器に固定されるようにすると共に、この固定用のねじを表示器に対向する前面飾り板で覆うようにした構造に関する。
【０００２】
【従来の技術】
高さ寸法を抑えた所謂シーリングウォール型の従来の空気調和機は、壁面に固着されたベースの前面上部に前面側から上部パネルを取付できるようにするとともに、同上部パネルに対し下部パネルを容易に着脱できるようにして、メンテナンス時の作業性を向上できるようにした壁掛け式の空気調和機を提供するため、上部パネルの前面部に設けられた挿通孔を挿通したねじを、ベースに連続形成された支持部に穿設されたねじ孔に螺着して、上部パネルをベースの前面側上部に取り付けるとともに、前後に延びる凸片およびこれに対応する凹溝からなる案内路により下部パネルを案内し、同下部パネル前端部の裏面に突設した係止爪を前記上部パネルのフランジに係止して、前記下部パネルを前記上部パネルに着脱可能に接合できるように構成されたものが開示されていた（例えば、特許文献１参照。）。
【０００３】
しかしながら、前記ベースの前部に取り付けられる所謂前面パネルは、合成樹脂製の成形品でなる前記上部パネルと前記下部パネルとで構成されていることから、部品コストおよび組立工数や樹脂材料の使用量などの低減をはかる上で、これら上部パネルおよび下部パネルの金型が二分割されていることがネックになっているため、上下一体構造でなる前面パネルとして形成されると共に、該前面パネルを前面側からのねじ締めにより前記ベース側に固定できるようにし、且つこの固定用のねじを表示器に対向する前面飾り板で覆うようにすることが望まれていた。
【０００４】
【特許文献１】
特開２００２−１０６８７９号公報（要約、第２図）
【０００５】
【発明が解決しようとする課題】
本発明は、上記問題点に鑑み、上下一体構造で成形された前面パネルがベースに取り付けられた表示器に固定されるようにすると共に、この固定用のねじを表示器に対向する前面飾り板で覆うようにした空気調和機を提供することを目的とする。
【０００６】
【課題を解決するための手段】
本発明は、上記課題を解決するため、前部を開放したベースと、同ベースに取り付けられた熱交換器、送風ファンおよび表示器と、同表示器を臨ませた表示穴を備えて前記ベースの前部に装着され、上面に吸込グリルを有する吸込口を備え、下面に吹出口を備えた前面パネルと、前記表示器に設けられたねじ孔および係止穴と、前記ねじ孔に対向して前記前面パネルに設けられた挿通孔と、前記係止穴に係脱可能に係止する係止爪を備え、前記表示器により発光表示された運転情報を透過する前面飾り板とからなり、
前記前面パネルを、前記挿通孔を通したねじを前記ねじ孔に螺着して前記ベース側に固定すると共に、前記前面飾り板により、前記係止穴に前記係止爪を係止して前記挿通孔および前記ねじを覆うようにしてなる構成となっている。
【０００７】
また、前記係止穴が、左右を長径に形成した左右一対の矩形状の穴からなる一方、前記係止爪が、前記一対の矩形状の穴の一側から夫々に挿入し、他側に向けてスライドさせることにより他側部およびその裏面に係止するようＬ字状に形成されてなる構成となっている。
【０００８】
【発明の実施の形態】
以下、本発明の実施の形態を図面に基づいた実施例として詳細に説明する。
図１は本発明による空気調和機の断面図であり、図２はベースに表示器を固定する状態を示す断面図であり、図３は表示器に前面パネルを固定する状態を示す断面図であり、図４は前面パネルの斜視図であり、図５はベース、表示器および前面パネルを示す要部斜視図であり、図６は前面パネルの要部斜視図であり、図７は表示器の固定状態を示す要部斜視図であり、図８はベースに表示器を固定した状態を示す要部斜視図であり、図９はベースに表示器を固定する状態を示す要部斜視図であり、図１０は表示器の斜視図である。
【０００９】
本発明による空気調和機は、図１で示すように、高さ寸法を抑えた所謂シーリングウォール型の本体を構成するベース１の前部に、吸込グリル８を有する吸込口９と、吹出口１０とを上下部に備えて一体成形された合成樹脂製の前面パネル１１が装着されている。
【００１０】
前記吸込口９と前記吹出口１０とを結ぶ空気通路には、前記吸込口９から吸い込まれた空気を熱交換する側面視で逆Ｖ字状に形成された熱交換器２と、ファンモータに連係されたクロスフローファン３とが順次設けられている。
【００１１】
上記構成により、前記吸込口９から吸い込まれた空気が前記熱交換器２で熱交換されたのち、前記クロスフローファン３によって前記吹出口１０に送出されるようになっている。
【００１２】
また、前記ベース１には、図２と、図３と、図８と、図９と、図１０とで示すように、同ベース１に設けられた取付用のねじ孔４ｃに、ホルダ４ａおよび表示基板４ｂを備えて運転情報を発光表示する表示器４がねじ締めされて取り付けられると共に、前記前面パネル１１が、同前面パネル１１に設けられた図示しない挿通孔を通したねじを、前記表示器４に設けられた固定用のねじ孔７ａに螺着して固定されるようになっている。
【００１３】
前記前面パネル１１には、図６および図７で示すように、前記表示器４と、同表示器４を臨ませるように前記前面パネル１１に設けられた表示穴１１ｄ　に対向させ、前記表示器４の光源を透過させる前面飾り板６を設けられることにより、前記挿通孔および前記ねじ孔７ａに螺着されたねじの頭部を覆って該個所の意匠性を高めると共に、前記表示器４により発光表示された運転情報を正確に視認できるようになっている。
【００１４】
次に、上下部を一体成形した前記前面パネル１１の構成と、同前面パネル１１を前記ベース１の前部に容易に装着し、同ベース１に取り付けられた前記表示器４に固定部７により正確に固定できるようにした構造について説明する。
【００１５】
前記前面パネル１１は、図１および図４で示すように、前記吸込口９を備えた上部パネル１１ａ　と、前記吹出口１０を備えた下部パネル１１ｂ　とを上下に二分割することなく、一つの金型により一体成形された構成となっているので、上記に説明した従来技術における問題点を解消できるようになって、部品コストおよび組立工数や樹脂材料の使用量などの低減をはかる上で有利な構造となる。
【００１６】
前記前面パネル１１を前記表示器４に固定するための固定部７は、上記に説明したとおり、前記表示器４に設けられた複数のねじ孔７ａと、同ねじ孔７ａに対応して前記前面パネル１１に設けられた図示しない挿通孔とからなる構成となっており、これによって、前記挿通孔を通したねじを前記ねじ孔７ａに螺着することにより、空気調和機本体の前面側から、前記前面パネル１１を前記ベース１の前部に固定できるようになって作業性がよい構造となる。
【００１７】
また、前記固定部７は、図６（Ａ）で示すように、前記表示器４に対向して前記前面パネル１１に係止される前記前面飾り板６によって覆われるようになっているので、該個所の意匠性を損ねてしまうということがない。
【００１８】
なお、前記前面パネル１１に前記前面飾り板６を係止するための係止部５は、図６（Ｂ）で示すように、前記前面パネル１１に設けられた係止穴１１ｃ　が、左右を長径に形成した左右一対の矩形状の穴からなる一方、前記前面飾り板６に設けられた係止爪６ａが、前記一対の矩形状の穴の一側から夫々に挿入し、他側に向けてスライドさせることにより他側部およびその裏面に係止するようＬ字状に形成されてなる構成となっている。
【００１９】
これにより、前記前面飾り板６は、簡便な構成でなる前記係止部５によって前記前面パネル１１に容易に係止され、前記固定部７を覆って該個所の意匠性を高めると共に、前記前面パネル１１に設けた表示穴１１ｄ　を通すように発光表示された前記表示器４の光源を透過させて運転情報を正確に視認できる。
【００２０】
【発明の効果】
以上説明したように、本発明によると、上下一体構造で成形された前面パネルがベースに取り付けられた表示器に固定されるようにすると共に、この固定用のねじを表示器に対向する前面飾り板で覆うようにした空気調和機となる。
【図面の簡単な説明】
【図１】本発明による空気調和機の断面図である。
【図２】本発明による空気調和機のベースに表示器を固定する状態を示す断面図である。
【図３】本発明による空気調和機の表示器に前面パネルを固定する状態を示す断面図である。
【図４】本発明による空気調和機の前面パネルの斜視図である。
【図５】本発明による空気調和機のベース、表示器および前面パネルを示す要部斜視図である。
【図６】本発明による空気調和機の前面パネルの要部斜視図である。
【図７】本発明による空気調和機の表示器の固定状態を示す要部斜視図である。
【図８】本発明による空気調和機のベースに表示器を固定した状態を示す要部斜視図である。
【図９】本発明による空気調和機のベースに表示器を固定する状態を示す要部斜視図である。
【図１０】本発明による空気調和機の表示器の斜視図である。
【符号の説明】
１　ベース
２　熱交換器
３　送風ファン
４　表示器
４ａ　ホルダ
４ｂ　表示基板
４ｃ　ねじ孔
５　係止部
６　前面飾り板
６ａ　係止爪
７　固定部
７ａ　ねじ孔
８　吸込グリル
９　吸込口
１０　吹出口
１１　前面パネル
１１ａ　上部パネル
１１ｂ　下部パネル
１１ｃ　係止穴
１１ｄ　表示穴
【図１】
2004138311.tif 000003
【図２】
2004138311.tif 000004
【図３】
2004138311.tif 000005
【図４】
2004138311.tif 000006
【図５】
2004138311.tif 000007
【図６】
2004138311.tif 000008
【図７】
2004138311.tif 000009
【図８】
2004138311.tif 000010
【図９】
2004138311.tif 000011
【図１０】
2004138311.tif 000012